(57)【要約】  スライドファスナー用のスライダー（４００）は、スライダー本体（１００）と閉塞部材（２００）を備える。閉塞部材（２００）は、スライダー本体（１００）の引手取付柱（５０）の自由端部（５４）と上翼板（１０）の間の隙間（６０）を閉塞する閉塞部（２１０）と、閉塞部（２１０）の上部に設けられ、引手取付柱（５０）の自由端部（５４）に対して係合する上部係合部（２１５）と、閉塞部（２１０）の下部に設けられた脚部（２２０）を含む。脚部（２２０）が、閉塞部（２１０）から連結柱（３０）に沿って延びる棒部（２２４）と、棒部（２２４）に対して連結し、下翼板（２０）に対して係合する下部係合部（２２５）を含む。
2016042676.tif 000002
【特許請求の範囲】
【請求項１】
上翼板（１０）、下翼板（２０）、及び前記上翼板（１０）と前記下翼板（２０）を前端部（１０４）にて連結する連結柱（３０）、及び前記上翼板（１０）に連結した基端部（５２）からその自由端部（５４）まで前記前端部（１０４）に向かって片持ち状に延びる引手取付柱（５０）を備えるスライダー本体（１００）と、
前記引手取付柱（５０）の前記自由端部（５４）と前記上翼板（１０）の間の隙間（６０）を閉塞する閉塞部（２１０）を含む閉塞部材（２００）を備えるスライドファスナー用のスライダー（４００）であって、
前記閉塞部材（２００）が、前記閉塞部材（２００）の上部に設けられ、前記引手取付柱（５０）の前記自由端部（５４）に対して係合する上部係合部（２１５）と、前記閉塞部（２１０）の下部に設けられた脚部（２２０）を含み、
前記脚部（２２０）が、前記閉塞部（２１０）から前記連結柱（３０）に沿って延びる棒部（２２４）と、前記棒部（２２４）に対して連結し、前記下翼板（２０）に対して係合する下部係合部（２２５）を含む、スライダー。
【請求項２】
前記引手取付柱（５０）の前記自由端部（５４）の上面（５１）に前記上部係合部（２１５）が係合する上部被係合部（５５）が凹設される、請求項１に記載のスライダー。
【請求項３】
前記上部係合部（２１５）が、下方に突出する係合突起（２１７）を有し、
前記上部被係合部（５５）が、上方に開口した周壁（５６）を有し、
前記係合突起（２１７）が前記周壁（５６）内に収容される、請求項２に記載のスライダー。
【請求項４】
前記連結柱（３０）は、当該連結柱（３０）を上下に貫通する前方解放の縦溝（３３）を有し、前記棒部（２２４）が少なくとも部分的に前記縦溝（３３）に収容される、請求項１乃至３のいずれか一項に記載のスライダー。
【請求項５】
前記下部係合部（２２５）は、前記棒部（２２４）に対して屈曲して設けられた平板部であり、前記下翼板（２０）の下面に凹設された下部被係合部（２５）に収容される、請求項１乃至４のいずれか一項に記載のスライダー。
【請求項６】
前記連結柱（３０）が延びる方向を上下方向とし、前記上下方向に直交し、かつ前記スライダーの摺動方向に一致する方向を前後方向とし、前記上下方向及び前記前後方向に直交する方向を左右方向とする、請求項１乃至５のいずれか一項に記載のスライドファスナー用のスライダー（４００）であって、
前記上部係合部（２１５）及び前記下部係合部（２２５）は、各々、前記左右方向において突出する少なくとも１つの突出部を有する、スライダー。
【請求項７】
前記閉塞部（２１０）の前記引手取付柱（５０）に対向する面には、前記引手取付柱（５０）の前記基端部（５２）から離間するに応じて上方に上る傾斜面（２１３）が設けられる、請求項１乃至６のいずれか一項に記載のスライダー。
【請求項８】
上翼板（１０）、下翼板（２０）、及び前記上翼板（１０）と前記下翼板（２０）を前端部（１０４）にて連結する連結柱（３０）、及び前記上翼板（１０）に連結した基端部（５２）からその自由端部（５４）まで前記前端部（１０４）に向かって片持ち状に延びる引手取付柱（５０）を備えるスライダー本体（１００）に対して取り付けられる閉塞部材（２００）であって、
前記引手取付柱（５０）の前記自由端部（５４）と前記上翼板（１０）の間の隙間（６０）を閉塞する閉塞部（２１０）と、
前記閉塞部（２１０）の上部に設けられ、前記引手取付柱（５０）の前記自由端部（５４）に対して係合する上部係合部（２１５）と、
前記閉塞部（２１０）の下部に設けられた脚部（２２０）を備え、
前記脚部（２２０）が、前記閉塞部（２１０）から前記連結柱（３０）に沿って延びる棒部（２２４）と、前記棒部（２２４）に対して連結し、前記下翼板（２０）に対して係合する下部係合部（２２５）を含む、閉塞部材。
【請求項９】
上翼板（１０）、下翼板（２０）、及び前記上翼板（１０）と前記下翼板（２０）を前端部（１０４）にて連結する連結柱（３０）、及び前記上翼板（１０）に連結した基端部（５２）からその自由端部（５４）まで前記前端部（１０４）に向かって片持ち状に延びる引手取付柱（５０）を備え、前記引手取付柱（５０）の前記自由端部（５４）と前記上翼板（１０）の間の隙間（６０）を閉塞する閉塞部材（２００）が取り付け可能であるスライダー本体（１００）であって、
前記閉塞部材（２００）の上部係合部（２１５）が係合する上部被係合部（５５）が前記引手取付柱（５０）の自由端部（５４）に設けられ、
前記閉塞部材（２００）の下部係合部（２２５）が係合する下部被係合部（２５）が前記下翼板（２０）に設けられる、スライダー本体。
【請求項１０】
前記連結柱（３０）は、当該連結柱（３０）を上下に貫通する前方解放の縦溝（３３）を有し、前記閉塞部材（２００）の前記上部係合部（２１５）と前記下部係合部（２２５）の中間にある棒部（２２４）を収容可能である、請求項９に記載のスライダー本体。
【発明の詳細な説明】
【技術分野】
【０００１】
本開示は、スライドファスナー用のスライダーに関する。詳細には、本開示は、スライダー、スライダー本体、及び閉塞部材に関する。
【背景技術】
【０００２】
片持ち状の引手取付柱を有するスライダー本体に対して引手を後付する技術が知られている。引手の後付を許容するため、引手取付柱の自由端とスライダー本体の上翼板の間に隙間が存在する。この隙間は、引手の後付の際には必要であるが、引手の取付後には不要になる。従って、ある方法においては、引手の取付後、引手取付柱を変形させ、その隙間を小さくすることが行われる。しかしながら、この場合、引手取付柱への力の付与によるスライダー本体の望まない変形、例えば上翼板と下翼板の間隔が変動することを抑制することが要求され得る。【０００３】
上述の例のように引手取付柱を変形させるとしても、多少の隙間が残存し、この隙間に異物、例えば、袋類等が挟まり、スライドファスナーの使いやすさが低下してしまうおそれもある。【０００４】
他方、別の方法においては、上述の例示の観点若しくは上述した以外の観点から引手取付柱の自由端と上翼板の間の隙間を閉塞部材で閉塞し、これにより隙間を埋める技術が知られている。例えば、特許文献１には、同文献の図１、図４、及び図７等に開示のようにスライダー胴体の上翼板と引手取付棹の自由端部の間に閉塞部材を配する技術が開示されている。【０００５】
特許文献２には引手の後付を許容する特殊な構造のスライダーが開示されている。
【先行技術文献】
【特許文献】
【０００６】
【特許文献１】国際公開第２０１４／０７３１１１号
【特許文献２】米国特許５，５５１，１２９号明細書
【発明の概要】
【発明が解決しようとする課題】
【０００７】
特許文献１の場合、閉塞部材が相対的に小さく、スライダー本体への取付が簡単ではなく、また簡単な取付を確保すれば、局所的な力がかかる時に外れやすくなってしまう。
【課題を解決するための手段】
【０００８】
本発明の一態様に係るスライダーは、上翼板（１０）、下翼板（２０）、及び前記上翼板（１０）と前記下翼板（２０）を前端部（１０４）にて連結する連結柱（３０）、及び前記上翼板（１０）に連結した基端部（５２）からその自由端部（５４）まで前記前端部（１０４）に向かって片持ち状に延びる引手取付柱（５０）を備えるスライダー本体（１００）と、
前記引手取付柱（５０）の前記自由端部（５４）と前記上翼板（１０）の間の隙間（６０）を閉塞する閉塞部（２１０）を含む閉塞部材（２００）を備えるスライドファスナー用のスライダー（４００）であって、
前記閉塞部材（２００）が、前記閉塞部材（２００）の上部に設けられ、前記引手取付柱（５０）の前記自由端部（５４）に対して係合する上部係合部（２１５）と、前記閉塞部（２１０）の下部に設けられた脚部（２２０）を含み、
前記脚部（２２０）が、前記閉塞部（２１０）から前記連結柱（３０）に沿って延びる棒部（２２４）と、前記棒部（２２４）に対して連結し、前記下翼板（２０）に対して係合する下部係合部（２２５）を含む。【０００９】
幾つかの実施形態においては、前記引手取付柱（５０）の前記自由端部（５４）の上面（５１）に前記上部係合部（２１５）が係合する上部被係合部（５５）が凹設される。【００１０】
幾つかの実施形態においては、前記上部係合部（２１５）が、下方に突出する係合突起（２１７）を有し、前記上部被係合部（５５）が、上方に開口した周壁（５６）を有し、前記係合突起（２１７）が前記周壁（５６）内に収容される。なお、周壁により係合突起が完全に周囲される必要はない。【００１１】
幾つかの実施形態においては、前記連結柱（３０）は、当該連結柱（３０）を上下に貫通する前方解放の縦溝（３３）を有し、前記棒部（２２４）が少なくとも部分的に前記縦溝（３３）に収容される。【００１２】
幾つかの実施形態においては、前記下部係合部（２２５）は、前記棒部（２２４）に対して屈曲して設けられた平板部であり、前記下翼板（２０）の下面に凹設された下部被係合部（２５）に収容される。【００１３】
前記連結柱（３０）が延びる方向を上下方向とし、前記上下方向に直交し、かつ前記スライダーの摺動方向に一致する方向を前後方向とし、前記上下方向及び前記前後方向に直交する方向を左右方向とする場合、前記上部係合部（２１５）及び前記下部係合部（２２５）は、各々、前記左右方向において突出する少なくとも１つの突出部を有する。【００１４】
幾つかの実施形態においては、前記閉塞部（２１０）の前記引手取付柱（５０）に対向する面には、前記引手取付柱（５０）の前記基端部（５２）から離間するに応じて上方に上る傾斜面（２１３）が設けられる。【００１５】
本発明の別態様に係る閉塞部材は、上翼板（１０）、下翼板（２０）、及び前記上翼板（１０）と前記下翼板（２０）を前端部（１０４）にて連結する連結柱（３０）、及び前記上翼板（１０）に連結した基端部（５２）からその自由端部（５４）まで前記前端部（１０４）に向かって片持ち状に延びる引手取付柱（５０）を備えるスライダー本体（１００）に対して取り付けられる閉塞部材（２００）であって、
前記引手取付柱（５０）の前記自由端部（５４）と前記上翼板（１０）の間の隙間（６０）を閉塞する閉塞部（２１０）と、
前記閉塞部（２１０）の上部に設けられ、前記引手取付柱（５０）の前記自由端部（５４）に対して係合する上部係合部（２１５）と、
前記閉塞部（２１０）の下部に設けられた脚部（２２０）を備え、
前記脚部（２２０）が、前記閉塞部（２１０）から前記連結柱（３０）に沿って延びる棒部（２２４）と、前記棒部（２２４）に対して連結し、前記下翼板（２０）に対して係合する下部係合部（２２５）を含む。【００１６】
本発明の別態様に係るスライダー本体は、上翼板（１０）、下翼板（２０）、及び前記上翼板（１０）と前記下翼板（２０）を前端部（１０４）にて連結する連結柱（３０）、及び前記上翼板（１０）に連結した基端部（５２）からその自由端部（５４）まで前記前端部（１０４）に向かって片持ち状に延びる引手取付柱（５０）を備え、前記引手取付柱（５０）の前記自由端部（５４）と前記上翼板（１０）の間の隙間（６０）を閉塞する閉塞部材（２００）が取り付け可能であるスライダー本体（１００）であって、
前記閉塞部材（２００）の上部係合部（２１５）が係合する上部被係合部（５５）が前記引手取付柱（５０）の自由端部（５４）に設けられ、
前記閉塞部材（２００）の下部係合部（２２５）が係合する下部被係合部（２５）が前記下翼板（２０）に設けられる。【００１７】
幾つかの実施形態においては、前記連結柱（３０）は、当該連結柱（３０）を上下に貫通する前方解放の縦溝（３３）を有し、前記閉塞部材（２００）の前記上部係合部（２１５）と前記下部係合部（２２５）の中間にある棒部（２２４）を収容可能である。
【発明の効果】
【００１８】
本発明によれば、スライダー本体に対する閉塞部材の取付の簡単さとスライダー本体からの閉塞部材の外れ難さを両立することができる。
【図面の簡単な説明】
【００１９】
【図１】本発明の第１実施形態に係るスライドファスナー用のスライダーの概略的な分解斜視図である。
【図２】本発明の第１実施形態に係るスライドファスナー用のスライダーの概略的な斜視図であり、スライダー本体に対して閉塞部材が取り付けられた状態を示す。なお、引手の図示は省略している。
【図３】本発明の第１実施形態に係るスライドファスナー用のスライダーのスライダー本体の概略的な斜視図であり、前方斜め上から斜視し、スライダー本体の上翼板及び引手取付柱を示す。
【図４】本発明の第１実施形態に係るスライドファスナー用のスライダーのスライダー本体の概略的な斜視図であり、前方斜め下から斜視し、スライダー本体の下翼板の下面を示す。
【図５】本発明の第１実施形態に係るスライドファスナー用のスライダーのスライダー本体の断面模式図と閉塞部材の側面図を併せて示す模式図である。なお、スライダー本体の断面は、図９のＶ−Ｖの平面における断面である。
【図６】図５のＶＩ−ＶＩ平面における断面図である。
【図７】本発明の第１実施形態に係るスライドファスナー用のスライダーのスライダー本体に対して閉塞部材を取り付ける過程を説明する説明図である。
【図８】本発明の第１実施形態に係るスライドファスナー用のスライダーの断面模式図であり、引手、スライダー本体、及び閉塞部材の断面を示す。
【図９】本発明の第１実施形態に係るスライドファスナー用のスライダーの上面模式図であり、閉塞部材の上部係合部が引手取付柱の自由端の上部被係合部に係合した状態を部分断面にて示す。
【図１０】本発明の第１実施形態に係るスライドファスナー用のスライダーの下面模式図であり、閉塞部材の下部係合部が下翼板の下部被係合部に係合した状態を示す。
【発明を実施するための形態】
【００２０】
以下、図面を参照しつつ、本発明の実施の形態について説明する。各実施形態は、個々に独立したものではなく、過剰説明をするまでもなく、当業者をすれば、適宜、組み合わせることが可能であり、この組み合わせによる相乗効果も把握可能である。実施形態間の重複説明は、原則的に省略する。参照図面は、発明説明を主目的とするものであり、適宜、簡略化されている。
【００２１】
方向を示す用語を次のように定義する。上下方向は、連結柱が延びる方向に一致する。左右方向は、連結柱の両隣の開口の横並びの方向に合致する。前後方向は、上下方向及び左右方向に直交する方向である。前後方向は、スライドファスナーを開閉するスライダーの移動方向、つまりスライダーの摺動方向にも一致する。左右方向は、ファスナーテープの対向側縁を横切る方向にも一致する。本願の開示を踏まえて別の表現で方向を示す用語を定義することもできる。例えば、左右方向を幅方向と理解し、後述の各要素の幅方向の大きさ若しくは各要素間の間隔を理解することもできる。
【００２２】
＜第１実施形態＞
図１乃至図１０を参照して第１実施形態について説明する。図１は、スライドファスナー用のスライダーの概略的な分解斜視図である。図２は、スライドファスナー用のスライダーの概略的な斜視図であり、スライダー本体に対して閉塞部材が取り付けられた状態を示す。なお、図示の簡潔のため、引手の図示は省略している。図３は、スライドファスナー用のスライダーのスライダー本体の概略的な斜視図であり、前方斜め上から斜視し、スライダー本体の上翼板及び引手取付柱を示す。図４は、スライドファスナー用のスライダーのスライダー本体の概略的な斜視図であり、前方斜め下から斜視し、スライダー本体の下翼板の下面を示す。図５は、スライドファスナー用のスライダーのスライダー本体の断面模式図と閉塞部材の側面図を併せて示す模式図である。なお、スライダー本体の断面は、図９のＶ−Ｖの平面における断面である。図６は、図５のＶＩ−ＶＩ平面における断面図である。図７は、スライドファスナー用のスライダーのスライダー本体に対して閉塞部材を取り付ける過程を説明する説明図である。図８は、スライドファスナー用のスライダーの断面模式図であり、引手、スライダー本体、及び閉塞部材の断面を示す。図９は、スライドファスナー用のスライダーの上面模式図であり、閉塞部材の上部係合部が引手取付柱の自由端の上部被係合部に係合した状態を部分断面にて示す。図１０は、スライドファスナー用のスライダーの下面模式図であり、閉塞部材の下部係合部が下翼板の下部被係合部に係合した状態を示す。
【００２３】
図１乃至１０に示すように、スライドファスナー用のスライダー４００は、スライダー本体１００、閉塞部材２００、及び引手３００を有する。スライダー本体１００に対して引手３００が取り付けられ、この後、スライダー本体１００に対して閉塞部材２００が取り付けられる。このような組立手順が許容されるため、引手３００の後付が許容される。換言すれば、スライダー本体１００に対して引手３００を取り付けるタイミングの自由度が高められる。スライダー本体１００と引手３００を切り分けてスライダー４００を製造できるメリットもある。なお、閉塞部材２００がスライダー本体１００に対して取り付けられていない２つの部品が部品ユニットと把握される。部品ユニットに引手３００を含めて３つの部品を含むものと把握しても良い。
【００２４】
なお、引手３００は、基端３０２と把持端３０４を有し、各々の端部寄りに穴３２０、３４０が開口した金属製の平板材である。引手３００の穴３２０に引手取付柱５０を通すことにより引手取付柱５０に引手３００が取り付けられる。
【００２５】
スライダー４００は、スライドファスナー用のスライダーであり、スライダー４００の前後移動によりスライドファスナーが開閉される。詳細には、スライダー４００の前移動により左右のファスナーエレメントが噛み合わされ、従って、左右のファスナーストリンガーが閉じられる。スライダー４００の後移動により左右のファスナーエレメントの噛合が解除され、従って、左右のファスナーストリンガーが開けられる。なお、スライドファスナーの具体的な種類や構成は任意である。ファスナーエレメントの種類や構成も任意であり、コイルエレメント、樹脂エレメント、又は金属エレメント等が想定される。
【００２６】
スライダー４００が組み込まれたスライドファスナーが用いられる用途は多岐に亘る。例えば、スライドファスナーの用途として、衣服類、鞄類、袋類が挙げられる。上述のように、本実施形態に係るスライダー４００は、引手の後付を許容する。したがって、上述の広範な用途に用いられるスライドファスナーの引手が事後的に破損するとしても、引手の交換で対処することができる。
【００２７】
限定する意図はないが、例えば、スライダー４００が鞄に縫着されたスライドファスナーに組み込まれ、スライダー４００の引手が部分的に破損する場合を想定する。この場合においても、スライダー４００の閉塞部材２００を破壊若しくは取り外しによりスライダー本体１００から外すことにより破損した引手を同種又は異種の新しい引手で交換することができる。この場合、鞄全体を交換することが回避され、ユーザーのニーズに合致する。
【００２８】
引手交換に際して、新しい閉塞部材２００を用意することが望ましい。スライダー本体１００から閉塞部材２００を無変形若しくは無傷に取り外すことは簡単ではない。引手交換のために閉塞部材２００を破壊することが簡便である。なお、何らかの理由により閉塞部材２００が破損するとしても、新しい閉塞部材に交換することもできる。
【００２９】
スライダー本体１００は、金属若しくは樹脂若しくは任意の他の材料から成る。閉塞部材２００は、金属若しくは樹脂若しくは任意の他の材料から成る。引手３００は、金属若しくは樹脂若しくは任意の他の材料から成る。
【００３０】
非限定の一例においては、スライダー本体１００が金属製であり、閉塞部材２００が樹脂性であり、引手３００が金属製である。本例においては、スライダー本体１００に対する閉塞部材２００の取付が促進される。本例においては、閉塞部材２００が、剛性を有しつつも、やや軟らかい樹脂から成る。つまり、閉塞部材２００は、スライダー本体１００よりも軟らかい材料から成る。閉塞部材２００は、限定する意図はないが、例えば、ポリアセタール、ポリアミド、ポリプロピレン、ポリブチレンテレフタレート等の熱可塑性樹脂材料などを利用して射出成形により一体形成された成形品で構成される。
【００３１】
スライダー本体１００、閉塞部材２００、及び引手３００の製造方法について任意である。限定する意図はないが、例えば、スライダー本体１００が金属材料のダイキャスト成形により製造され、閉塞部材２００が樹脂の金型成形により製造され、引手３００が金属材料のダイキャスト成形により製造される。金属製の引手３００は、閉塞部材２００に対して相対的に強い衝撃を与える可能性がある。この点は、例えば、紐性の引手と比較する場合に顕著である。
【００３２】
スライダー本体１００は、上翼板１０、下翼板２０、上翼板１０と下翼板２０を前端部１０４で連結する連結柱３０、及び上翼板１０上に設けられた片持ち状の引手取付柱５０を有する。スライダー本体１００は、後端部１０２と前端部１０４を有する。スライダー本体１００の前端部１０４には連結柱３０を挟んで左右一対の前口が設けられる。スライダー本体１００の後端部１０２には一つの後口が設けられる。ファスナーエレメントは、上翼板１０、下翼板２０、及び連結柱３０により定まるＹ字状のエレメント移動空間内を移動する。噛み合い状態の左右のファスナーエレメントが後口を出入りし、非噛み合い状態の左右のファスナーエレメントが左右一対の前口を出入りする。
【００３３】
上翼板１０には左右一対のフランジ部１１が設けられ、ファスナーエレメントの左右変位を規制する。上翼板１０と下翼板２０の各対向内面にはファスナーエレメントを案内する案内構造が設けられる場合がある。
【００３４】
フランジ部１１の形状及び／又は配置は、様々な条件、例えば、ファスナーテープにファスナーエレメントが固定されたファスナーストリンガー（ファスナーチェーンとも呼ばれる）の形態若しくは使用態様に応じて変更され得る。例えば、コイルエレメントがファスナーテープの一面に取り付けられ、エレメント列が表側から見えない態様で用いられる場合、フランジ部１１が上翼板１０ではなく下翼板２０に設けられる。ファスナーテープに対して一体的に射出成形された樹脂エレメントのファスナーチェーン、若しくはファスナーテープに対して金属エレメントが加締め固定されたファスナーチェーンの場合、上翼板１０及び下翼板２０の両方にフランジ部１１が設けられる。
【００３５】
上翼板１０と下翼板２０は同一の上面視形状を有する対向配置された平板部である。連結柱３０は、上翼板１０の前端部と下翼板２０の前端部を左右中央にて連結する。連結柱３０は、上翼板１０に連結した上端部３１と下翼板２０に連結した下端部３２を有し、上端部３１と下端部３２の間を延びる。連結柱３０には上下に貫通した前方解放の縦溝３３が設けられる。この縦溝３３には後述の閉塞部材２００の脚部２２０の棒部２２４が収容及び保持される。
【００３６】
引手取付柱５０は、上翼板１０に連結した基端部５２と上翼板１０から離間した自由端部５４を有する。引手取付柱５０は、スライダー本体１００の後端部１０２側の基端部５２からスライダー本体１００の前端部１０４に向かって延びる。引手取付柱５０の自由端部５４は、スライダー本体１００の前端部１０４上に隙間６０をあけて配される。
【００３７】
上翼板１０の上面には引手取付柱５０の基端部５２から前端部１０４に向かって延びる横溝１５が設けられる。横溝１５の左右幅は、引手取付柱５０の左右幅より小さく、横溝１５の深さは、引手取付柱５０の基端部５２から離間するに応じて暫増する。横溝１５は、連結柱３０の縦溝３３に空間連通している。後述の閉塞部材２００の脚部２２０の下部係合部２２５が収容及び保持される下部被係合部２５が下翼板２０の下面に対して凹設されている。下部被係合部２５は、連結柱３０の縦溝３３に空間連通している。
【００３８】
なお、ここで言う空間連通とは、図５に見られるように縦溝３３と横溝１５と下部被係合部２５が上翼板１０の上面、連結柱３０の前面、下翼板２０の下面よりも内側に連続して切りかかれた形状を意味する。すなわち、横溝１５の底面前端と縦溝３３の底面の上端部が連設しており、縦溝３３の底面の下端部と凹設された被係合部の底面の前端部が連設している。
【００３９】
閉塞部材２００は、閉塞部２１０、閉塞部２１０に連結した上部係合部２１５、及び閉塞部２１０に連結した脚部２２０を有する。上部係合部２１５は、閉塞部２１０の上部に設けられる。脚部２２０は、閉塞部２１０の下部に設けられ、閉塞部２１０の下面に連結する。脚部２２０は、閉塞部２１０から連結柱３０に沿って延びる棒部２２４と、棒部２２４に対して連結し、下翼板２０に対して係合する下部係合部２２５を含む。棒部２２４は、上部係合部２１５と下部係合部２２５の中間に位置する部分であり、また閉塞部２１０と下部係合部２２５の中間に位置する部分である。
【００４０】
上部係合部２１５は、引手取付柱５０の自由端部５４に設けられた上部被係合部５５に係合する。下部被係合部２５は、下翼板２０に設けられた下部被係合部２５に係合する。閉塞部材２００によるスライダー本体１００の上下の挟み込みにより、スライダー本体１００と閉塞部材２００間の十分な連結が確保される。
【００４１】
閉塞部２１０は、大きい塊／ブロックとして存在し、引手取付柱５０の左右幅と略同一の左右幅を有し、上翼板２０の上面から引手取付柱５０の自由端部の下面までの隙間の上下寸法と略同一の上下寸法を有する。他方、脚部２２０は、閉塞部２１０の左右幅よりも狭い左右幅を有し、脚部２２０の先端が後方向に向くようにＬ字状に屈曲した棒状部材である。脚部２２０は、閉塞部２１０と比較して可撓性を有する。脚部２２０の可撓性は、スライダー本体１００に対する閉塞部材２００の取付を促進する点で有利である。
【００４２】
閉塞部２１０は、上部よりも下部のほうが後方向に突出した形状をしており、閉塞部２１０が有する引手取付柱５０の基端部５２に対向する面には傾斜面２１３が設けられる。傾斜面２１３は、引手取付柱５０の基端部５２から離間するに応じて上方に上る傾斜面である。傾斜面２１３は、上翼板１０の上面から引手取付柱５０の自由端部５４に向けて前方向に傾斜した傾斜面である。閉塞部材２００がスライダー本体１００に取り付けられた状態において、引手３００を前方に引くと、引手３００の穴３２０を周囲する部分が傾斜面２１３を上り、引手取付柱５０に接触する。引手３００からの力が閉塞部材２００のみで受けるのではなく引手取付柱５０と閉塞部材２００の両方で受けることにより引手３００からの力が分散される。
【００４３】
引手取付柱５０の自由端部５４には上部被係合部５５が設けられる。上部被係合部５５は、引手取付柱５０の自由端部５４の上面５１に凹設される。上部被係合部５５は、下方に凹み、上方に開口した態様にあり、上方からの上部係合部２１５の挿入を許容する。図示の例示形態においては、上部被係合部５５は、自由端部５４の上下寸法の半分以上の深さを有する凹みであって、上部係合部２１５の係合突起２１７を周囲するように設けられた周壁５６を含む。周壁５６は、左右壁と前壁を含み、係合突起２１７の左右及び前後変位を規制する。周壁５６の前壁の左右中央が除去されている。周壁５６の上面は、引手取付柱５０の最も高い位置にある上面よりも低く形成されている。
【００４４】
上部係合部２１５は、閉塞部２１０に連結する基部２１４、基部２１４から後方向に向けて延びた被覆部２１６、被覆部２１６から下方に突出する係合突起２１７、及び係合突起２１７と基部２１４を結合する結合部２１８を有する。上部係合部２１５は、閉塞部２１０よりも後方に突出するように設けられ、これにより下方に突出する係合突起２１７の配置空間が確保される。被覆部２１６は、引手取付柱５０の自由端部５４を上方から被覆し、少なくとも上部被係合部５５を被覆する。被覆部２１６は、基部２１４の左右幅に等しい左右幅を有する。被覆部２１６の左右上縁、前縁、及び後縁は、各々、丸み付けられている。係合突起２１７は、上部被係合部５５の周壁５６の内壁面が画定するサイズよりも若干小さいサイズを有し、周壁５６内に収容される。係合突起２１７の先端は、図６に図示のように左右中央が突出した略三角形状に構成されている。図５に図示のように、上部係合部２１５の後端位置と閉塞部２１０の後端位置の間には距離Ｄ１が存在する。
【００４５】
図９に示すように、係合突起２１７は、左右方向において反対側に突出して幅広になった幅広部を含む。係合突起２１７は、左右方向において突出する一対の突出部が含まれる。別形態においては、係合突起２１７は、左右方向のうちいずれか一方にのみ突出する一つの突出部を含む。結合部２１８は、左右幅広の係合突起２１７と比較して左右幅狭の幅狭部である。係合突起２１７の幅広部が上述の周壁５６により周囲される。結合部２１８の幅狭部が上述の周壁５６の除去空間に挿入される。なお、係合突起２１７の左右幅は、被覆部２１６の左右幅よりも小さい。
【００４６】
係合突起２１７と周壁５６の嵌合により、引手取付柱５０の自由端部５４に対する閉塞部材２００の上部係合部２１５の左右及び前後変位が規制される。周壁５６から係合突起２１７が上方へ移動することは、下部係合部２２５と下部被係合部２５間の係合により阻止される。
【００４７】
脚部２２０の棒部２２４は、閉塞部２１０から連結柱３０に沿って下方に延びる。棒部２２４の上端は、閉塞部２１０の下面に連結する。下部係合部２２５は、棒部２２４に対して約９０°に屈曲して設けられ、棒部２２４の下端から後方に延びる。下部係合部２２５の後端位置は、上部係合部２１５の後端位置よりも後方に設けられ、図５に図示のように、それらの間には距離Ｄ２が存在する。距離Ｄ２により、スライダー本体１００に対する閉塞部材２００の取付が促進され得る。
【００４８】
下翼板２０には下部被係合部２５が設けられる。下部被係合部２５は、下翼板２０の下面に凹設され、縦溝３３に空間連通している。下部被係合部２５は、下方及び前方が解放しており、前方若しくは下方からの下部係合部２２５の挿入を許容する。下部被係合部２５は、必ずしもこの限りではないが、下部係合部２２５に応じた形状、例えば、下部係合部２２５の相似の形状の凹部を持つ。
【００４９】
下部係合部２２５は、棒部２２４の下端に一体的に連結し、左右方向において棒部２２４と同一幅である基部２２６と、基部２２６に対して左右両方向に突出して幅広になった幅広中間部２２７と、左右方向において相対的に幅が狭く、先端に向かって先細りの幅狭先端部２２８を有する。幅広中間部２２７には、左右方向において突出する一対の突出部が含まれる。別形態においては、幅広中間部２２７には左右方向において突出する一つの突出部が含まれる。下部被係合部２５には、下部係合部２２５の基部２２６を収容する第１溝２５ｐ、幅広中間部２２７を収容する第２溝２５ｑ、及び幅狭先端部２２８を収容する第３溝２５ｒが設けられる。第２溝２５ｑは、第１溝２５ｐや第３溝２５ｒと比較して左右幅広である。幅広中間部２２７から幅狭先端部２２８の先端に向けて下部係合部２２５の上下厚が漸減し、幅狭先端部２２８の上面には後方に向かい下方へ下る傾斜面が設けられる。
【００５０】
幅広中間部２２７よりも脚部２２０の先端に位置する幅狭先端部２２８により、図７に模式的に示すように、スライダー本体１００に対する閉塞部材２００の取付が促進される。具体的には、連結柱３０の縦溝３３に下部係合部２２５の幅狭先端部２２８が挿入されて閉塞部材２００の脚部２２０が閉塞部２１０に対して前方向に撓む。閉塞部材２００の脚部２２０の下部係合部２２５は、幅狭先端部２２８が縦溝３３によりガイドされつつ、下翼板２０の下面の前縁を乗り越え、そして、下翼板２０の下面沿いに後方へ移動し、下翼板２０の下面の下部被係合部２５に到達して収容される。
【００５１】
具体的な手順に関しては、例えば、上部係合部２１５の係合突起２１７を上部被係合部５５の周壁５６内に上方から差し込み、閉塞部材２００の脚部２２０を連結柱３０の縦溝３３内に押し込むように力をかける。すると、下部係合部２２５が下翼板２０の下面の前縁を乗り越え、下部被係合部２５にまで到達し、そこに収容及び保持される。このようにしてスライダー本体１００に対する閉塞部材２００の取付が達成される。
【００５２】
本実施形態においては、上部係合部２１５と下部係合部２２５自体が弾性変形せず、これにより、より強力な取付強度が確保される。端的には、係合突起２１７に含まれる幅広部若しくは突出部自体が弾性変形するものではなく、下部係合部２２５に含まれる幅広部（幅広中間部２１７）若しくは突出部自体が弾性変形しない。詳細には、脚部２２４が弾性変形し、上部係合部２１５及び下部係合部２２５の上下間隔が広がり、その後、脚部２２４が元形状に弾性復帰することで上部係合部２１５及び下部係合部２２５の上下間隔が元の間隔まで狭まり、上部係合部２１５及び下部係合部２２５が個別に上部被係合部５５及び下部被係合部２５に係合される。
【００５３】
上部係合部２１５の上下寸法よりも下部係合部２２５の上下寸法が小さく設定され、また下部係合部２２５の後端位置が上部係合部２１５の後端位置よりも後方に設けられ、更に下部係合部２２５には幅狭先端部２２８が設けられている。従って、スライダー本体１００に対する閉塞部材２００の取付作業性が向上し、またより強力な取付強度が確保される。
【００５４】
幾つかの実施形態においては、機械のみならず、人手によってもスライダー本体１００に対する閉塞部材２００の取付が可能である。閉塞部２１０に対する脚部２２０の変形を許容するように閉塞部材２００に可撓性を持たせることが望ましい。閉塞部２１０については、スライダー本体１００に対する閉塞部材２００の取付の基点若しくは基部となる。脚部２２０以外、例えば閉塞部２１０には可撓性を持たせなくてもよい。
【００５５】
本実施形態においては、閉塞部材２００が、閉塞部２１０に連結した脚部２２０を含み、脚部２２０が、閉塞部２１０から連結柱３０に沿って延びる棒部２２４と、棒部２２４に対して連結し、下翼板２０に対して係合する下部係合部２２５を含む。閉塞部材２００の閉塞部２１０に局所的な力が作用するとしても、上部係合部２１５と上部被係合部５５の上部係合構造から離れて位置する下部係合部２２５と下部被係合部２５の間の下部係合構造のおかげでスライダー本体１００からの閉塞部材２００の離脱が抑止される。また、閉塞部材２００が相対的に大きいサイズになり、その取り扱いが簡単になり、スライダー本体１００に対して簡単に取り付けることができる。繰り返すが、スライダー本体１００に対する閉塞部材２００の取付は、機械若しくは人手若しくはこれらの組み合わせにより為される。
【００５６】
本実施形態においては、上部係合部２１５が下方に突出した係合突起２１７を含み、上部被係合部５５が上方に開口した周壁５６を含む。周壁５６に対して係合突起２１７を差し込むことは、比較的簡単に行うことができる。
【００５７】
本実施形態においては、閉塞部材２００は、スライダー本体１００よりも軟らかい材料から成る。これによりスライダー本体１００に対する閉塞部材２００の取付が更に促進される。また、この場合、閉塞部材２００をカッターや鋏などの道具で破壊しやすく、従って引手の交換が容易である。
【００５８】
本実施形態においては、閉塞部材２００の脚部２２０が可撓性を有し、これにより、スライダー本体１００に対する閉塞部材２００の簡単な取付が確保される。
【００５９】
本実施形態においては、スライダー本体１００の連結柱３０には縦溝３３が設けられ、脚部２２０の棒部２２４が収容及び保持される。従って、棒部２２４は、スライダー４００の動作に影響しない。また、棒部２２４が前方に突出することが回避される。
【００６０】
本実施形態においては、閉塞部材２００の下部係合部２２５が下翼板２０の下部被係合部２５に収容されると、下部係合部２２５の下面と下翼板２０の下面とが面一となる。従って、下部係合部２２５を突起として人肌が感じることが抑止される。
【００６１】
上述の教示を踏まえると、当業者をすれば、各実施形態に対して様々な変更を加えることができる。請求の範囲に盛り込まれた符号は、参考のためであり、請求の範囲を限定解釈する目的で参照されるべきものではない。
【００６２】
上部係合部２１５は、必ずしも引手取付柱５０の自由端部５４の上面５１に凹設の上部被係合部５５に係合する必要はなく、特許文献１のような引手取付柱５０の自由端部５４の下面に凹設された上部被係合部に係合する形態を取ることもできる。
【００６３】
引手取付柱５０の前後長を短くし、これを補うべく上部係合部２１５を後方に更に突出させても構わない。複数の係合突起２１７を上部係合部２１５に設けても良い。この場合、各係合突起２１７に対応して区画された収容部／凹部が上部被係合部５５に設けられる。
【００６４】
下部係合部２２５を更に後方に延ばしても良い。この場合、下部被係合部２５も更に後方に延ばされる。脚部２２０の棒部２２４を連結柱３０の縦溝３３から突出し、上下方向に直交する平面において任意の断面形状を持たせても良い。閉塞部２１０、上部係合部２１５、及び脚部２２０の個々の具体的な形状は、適宜、変更可能である。
【００６５】
スライダー本体１００に対する閉塞部材２００の取付に関して、下部係合部２２５と下部被係合部２５を係合した後、上部係合部２１５と上部被係合部５５を係合させても良い。
【符号の説明】
【００６６】
４００        スライダー
１００        スライダー本体
２００        閉塞部材
１０          上翼板
２０          下翼板
３０          連結柱
５０          引手取付柱
５２          基端部
５４          自由端部
１０２        後端部
１０４        前端部
２１０        閉塞部
２１５        上部係合部
２２０        脚部
２２４        棒部
２２５        下部係合部
【図１】
2016042676.tif 000003
【図２】
2016042676.tif 000004
【図３】
2016042676.tif 000005
【図４】
2016042676.tif 000006
【図５】
2016042676.tif 000007
【図６】
2016042676.tif 000008
【図７】
2016042676.tif 000009
【図８】
2016042676.tif 000010
【図９】
2016042676.tif 000011
【図１０】
2016042676.tif 000012
【国際調査報告】
2016042676.tif 000013
2016042676.tif 000014
2016042676.tif 000015
2016042676.tif 000016